(57)【特許請求の範囲】
【請求項１】
双方向ＣＡＴＶシステムにおける上り伝送径路からの上り流合雑音確認方法において、
双方向ＣＡＴＶシステムにおける上り信号の周波数帯域を高周波帯域と低周波帯域に分離し、
前記上り伝送径路ごとに、前記高周波帯域の上り信号は伝送させ、前記低周波帯域の上り信号は遮断してその低周波帯域に含まれる流合雑音を遮断し、そのときのセンター側の上り流合雑音レベルを確認し、
前記センター側の上り流合雑音レベルの確認を上り伝送径路ごとに行って、上り流合雑音が多量発生している上り伝送径路を確認する、
ことを特徴とする双方向ＣＡＴＶシステムにおける上り流合雑音確認方法。
【請求項２】
双方向ＣＡＴＶシステムにおける上り伝送径路からの上り流合雑音確認方法において、
双方向ＣＡＴＶシステムにおける上り信号の周波数帯域を高周波帯域と低周波帯域に分離し、
前記上り伝送径路ごとに、前記低周波帯域の上り信号は伝送させ、前記高周波帯域の上り信号は遮断してその高周波帯域に含まれる流合雑音を遮断し、そのときのセンター側の上り流合雑音レベルを確認し、
前記センター側の上り流合雑音レベルの確認を上り伝送径路ごとに行って、上り流合雑音が多量発生している上り伝送径路を確認する、
ことを特徴とする双方向ＣＡＴＶシステムにおける上り流合雑音確認方法。
【請求項３】
ＣＡＴＶ用双方向増幅器において、
双方向増幅器の信号入出力端子（３１、３７）間に、下り信号と上り信号を分波/合成可能な上り下り信号分波/合成回路部（３２、３６）を備え、当該上り下り信号分波/合成回路部（３２、３６）の夫々はハイパスフィルタ（ＨＰＦ）とローパスフィルタ（ＬＰＦ）を備え、
前記両ＨＰＦは下り信号が伝送可能に接続され、
前記上り下り信号分波/合成回路部（３２、３６）間に、上り信号の高周波帯域と低周波帯域を分波/合成可能な帯域分波/合成回路部（３３、３４）を備え、当該帯域分波/合成回路部（３３、３４）はＨＰＦとＬＰＦを備え、
前記帯域分波/合成回路部（３３、３４）のＬＰＦ間には上り信号の低周波帯域を通過又は阻止する通過−阻止スイッチ（３５）が配置され、当該通過−阻止スイッチ（３５）はセンター及び端末側の各々にて切り替え可能であり、
前記帯域分波/合成回路部（３３、３４）のＨＰＦ間にはゲートスイッチ（３８）が配置され、当該ゲートスイッチ（３８）はセンター及び端末側の夫々で切替え可能であり、
前記通過−阻止スイッチ（３５）をオフ（阻止）とすることにより、前記帯域分波/合成回路部（３３、３４）のＨＰＦを通過する上り信号の高周波帯域に影響を与えることなく上り信号の低周波帯域を阻止することができ、
ケーブル通信用信号を前記帯域分波/合成回路部（３３、３４）のＨＰＦの通過帯域よりも高い周波数帯域に設定し、前記高周波帯域の上り信号は前記ＨＰＦを通過させて高周波帯域側の上り伝送径路で伝送させ、前記低周波帯域の上り信号は前記通過−阻止スイッチ（３５）で遮断して当該低周波帯域に含まれる流合雑音を遮断して帯域制限し、そのときのセンター側の上り流合雑音レベルを確認することにより、センター側の上り流合雑音レベルを確認することができ、その確認を上り伝送径路ごとに行って上り流合雑音が多量発生している上り伝送径路を確認できるようにした、
ことを特徴とする上り流合雑音を確認可能なＣＡＴＶ用双方向増幅器。
【請求項４】
請求項３記載の上り流合雑音を確認可能なＣＡＴＶ用双方向増幅器において、
ゲートスイッチ（３８）が、通過回路、阻止回路、減衰（ＡＴＴ）回路、ＨＰＦのいずれか一又は二以上を備え、当該ゲートスイッチはセンター及び端末側の夫々で切替え可能である、
ことを特徴とする上り流合雑音を確認可能なＣＡＴＶ用双方向増幅器。
【請求項５】
双方向ＣＡＴＶシステムにおいて、
双方向ＣＡＴＶシステムにおける所望の上り伝送路に、請求項３又は請求項４記載のＣＡＴＶ用双方向増幅器が設けられ、当該ＣＡＴＶ用双方向増幅器における上り信号の帯域制御により上り流合雑音を確認可能とした、
ことを特徴とする流合雑音確認可能な双方向ＣＡＴＶシステム。
【発明の詳細な説明】
【技術分野】
【０００１】
本願発明は双方向ＣＡＴＶシステムにおける上り流合雑音確認方法と、上り流合雑音を確認可能なＣＡＴＶ用双方向増幅器と、流合雑音確認可能な双方向ＣＡＴＶシステムに関するものである。
【背景技術】
【０００２】
双方向ＣＡＴＶシステムでは端末側からの上り流合雑音の問題があり、この問題を解決すべく種々の対策が講じられている。例えば、図４の伝送系の各双方向増幅器１２、１３、１４、１５、１６、１７に、図３に示すチェック回路（ゲートスイッチ）３８を入れたものがある。図３に示すゲートスイッチ３８はＣＡＴＶ網における上り信号入力端子（下り信号出力端子）２１、５２と、下り信号と上り信号を分波/合成を行なう分波/合成回路部２２、５５、２６と、センター側或いは端末側で切替え操作可能なＳＷ１、ＳＷ２（スイッチ２３、２４）と、下り信号入力端子（上り信号出力端子）２７を備え、更に、両スイッチ２３、２４間に挿入した通過回路２８、阻止回路２９、ＡＴＴ（アッテネータ）５１、ＨＰＦ（ハイパスフィルタ）２５を備えている。図３の５３、５４は分岐器である。
【０００３】
上り流合雑音をチェックするには、前記スイッチ２３、２４をセンター装置１１（図４）からの制御信号でコントロールして阻止２９に接続して上り信号を一時的に阻止（遮断）し、それを上り径路ごとに繰り返し、その都度、上り流合雑音が減るか否かを確認して上り流合雑音の減る双方向増幅器を確認している。
【０００４】
チェックにより上り流合雑音発生径路が特定されると、その上り回線のゲートスイッチ３８のスイッチ２３、２４を継続して阻止２９にし、上り流合雑音の少ない他の上り径路のゲートスイッチ３８のスイッチ２３、２４だけを通過２８にしてセンター装置１１に上る上り流合雑音を減らしていた。例えば、双方向増幅器１４（図４）の幹線下流での雑音発生が確認された場合は、その双方向増幅器１４の幹線ゲートスイッチを遮断にすることによって、双方向増幅器１４の幹線側からの上り流合雑音を減らすことが出来る。
【０００５】
図３のゲートスイッチ３８で上り帯域制限を行なう場合は、スイッチ２３、２４を切り替えなければならない。スイッチ２３、２４には、通常は電子スイッチやリレースイッチなどが使用されている。これらスイッチ２３、２４は切り替えると接点がＣＡＴＶ網(接点)から離れるため、上り信号は一時的に遮断されてセンター装置１１（図４）まで送られない。
【発明の開示】
【発明が解決しようとする課題】
【０００６】
図３のゲートスイッチを使用した場合は次のような課題があった。
（１）上り流合雑音が減る箇所（減る上り径路）が捜し当たるまで、夫々のゲートスイッチを遮断するため、遮断されたゲートスイッチが挿入されている上り回線の上り信号はその都度一時的に途切れてしまい、ケーブル通信に支障を来たす。
（２）上り信号がＱＡＭ変調などを含むデータ通信の場合、レベル変化によって、データ通信ができなくなる。
【０００７】
本願発明の解決課題は、前記諸問題を解決し、ケーブル通信システムに影響を与えることなく上り信号帯域を制限して、上り流合雑音の確認を行なうことができる上り信号帯域制御方法と、その上り信号帯域制御方法を利用した流合雑音チェック方法と、上り信号帯域制御装置と、その装置を備えた双方向ＣＡＴＶシステムを提供することにある。
【課題を解決するための手段】
【０００８】
本願発明の双方向ＣＡＴＶシステムにおける上り流合雑音確認方法は、請求項１記載のように、双方向ＣＡＴＶシステムにおける上り伝送径路からの上り流合雑音確認方法において、双方向ＣＡＴＶシステムにおける上り信号の周波数帯域を高周波帯域と低周波帯域に分離し、前記上り伝送径路ごとに、前記高周波帯域の上り信号は伝送させ、前記低周波帯域の上り信号は遮断してその低周波帯域に含まれる流合雑音を遮断し、そのときのセンター側の上り流合雑音レベルを確認し、前記センター側の上り流合雑音レベルの確認を上り伝送径路ごとに行って、上り流合雑音が多量発生している上り伝送径路を確認する方法である。
【０００９】
本願発明の双方向ＣＡＴＶシステムにおける上り流合雑音確認方法は、請求項２記載のように、双方向ＣＡＴＶシステムにおける上り伝送径路からの上り流合雑音確認方法において、双方向ＣＡＴＶシステムにおける上り信号の周波数帯域を高周波帯域と低周波帯域に分離し、前記上り伝送径路ごとに、前記低周波帯域の上り信号は伝送させ、前記高周波帯域の上り信号は遮断してその高周波帯域に含まれる流合雑音を遮断し、そのときのセンター側の上り流合雑音レベルを確認し、前記センター側の上り流合雑音レベルの確認を上り伝送径路ごとに行って、上り流合雑音が多量発生している上り伝送径路を確認する方法である。
【００１０】
本願発明の上り流合雑音を確認可能なＣＡＴＶ用双方向増幅器は、請求項３記載のように、ＣＡＴＶ用双方向増幅器において、前記双方向増幅器の信号入出力端子３１、３７間に、下り信号と上り信号を分波/合成可能な上り下り信号分波/合成回路部３２、３６を備え、当該上り下り信号分波/合成回路部３２、３６の夫々はハイパスフィルタ（ＨＰＦ）とローパスフィルタ（ＬＰＦ）を備え、前記両ＨＰＦは下り信号が伝送可能に接続され、前記上り下り信号分波/合成回路部３２、３６間に、上り信号の高周波帯域と低周波帯域を分波/合成可能な帯域分波/合成回路部３３、３４を備え、当該帯域分波/合成回路部３３、３４はＨＰＦとＬＰＦを備え、前記帯域分波/合成回路部３３、３４のＬＰＦ間には上り信号の低周波帯域を通過又は阻止する通過−阻止スイッチ３５が配置され、当該通過−阻止スイッチ３５はセンター及び端末側の各々にて切り替え可能であり、前記帯域分波/合成回路部３３、３４のＨＰＦ間にはゲートスイッチ３８が配置され、当該ゲートスイッチ３８はセンター及び端末側の夫々で切替え可能であり、前記通過−阻止スイッチ３５をオフ（阻止）とすることにより、前記帯域分波/合成回路部３３、３４のＨＰＦを通過する上り信号の高周波帯域に影響を与えることなく上り信号の低周波帯域を阻止することができ、ケーブル通信用信号を前記帯域分波/合成回路部３３、３４のＨＰＦの通過帯域よりも高い周波数帯域に設定し、前記高周波帯域の上り信号は前記ＨＰＦを通過させて高周波帯域側の上り伝送径路で伝送させ、前記低周波帯域の上り信号は前記通過−阻止スイッチ３５で遮断して当該低周波帯域に含まれる流合雑音を遮断して帯域制限し、そのときのセンター側の上り流合雑音レベルを確認することにより、センター側の上り流合雑音レベルを確認することができ、その確認を上り伝送径路ごとに行って上り流合雑音が多量発生している上り伝送径路を確認できるようにしたものである。本願発明の上り流合雑音を確認可能なＣＡＴＶ用双方向増幅器は、請求項４記載のように、前記上り流合雑音を確認可能なＣＡＴＶ用双方向増幅器において、ゲートスイッチ３８が、通過回路、阻止回路、減衰（ＡＴＴ）回路、ＨＰＦのいずれか一又は二以上を備え、当該ゲートスイッチはセンター及び端末側の夫々で切替え可能なものである。
【００１１】
本願発明の流合雑音確認可能な双方向ＣＡＴＶシステムは、請求項５記載のように、双方向ＣＡＴＶシステムにおいて、双方向ＣＡＴＶシステムにおける所望の上り伝送路に、請求項３又は請求項４記載のＣＡＴＶ用双方向増幅器が設けられ、当該ＣＡＴＶ用双方向増幅器における上り信号の帯域制御により上り流合雑音を確認可能としたシステムである。
【発明の効果】
【００１２】
本願における上り帯域制限方法は、次のような効果がある。
（１）上り信号の周波数帯域を高周波帯域と低周波帯域に分離して、高周波帯域の上り信号は伝送させ、その伝送中に、低周波帯域の上り信号を遮断するようにしたので、上り信号中の高周波帯域の上り信号が遮断されることなく、ケーブル通信システムに影響を及ぼすことなく上り帯域制限を制御することが出来る。
（２）上り信号の周波数帯域を高周波帯域と低周波帯域に分離して、低周波帯域の上り信号は伝送させ、その伝送中に、高周波帯域の上り信号を遮断するようにしたので、上り信号中の低周波帯域の上り信号が遮断されることなく上り帯域制限を制御することが出来る。
（３）上り帯域制限が行なわれる帯域と行なわれない帯域のガードバンドを25〜30MHzとすることで、ＣＢ無線(Citizens Band；26.9〜27.2MHz)などの影響をなくすことも出来る。
（４）ガードバンドの周波数帯域は任意に選択することが出来る。
【００１３】
本願における上り流合雑音確認方法は、前記上り帯域制限方法を利用したので、ケーブル通信システムに影響を与えることなく上り流合雑音の調査を行なうことが出来る。
【００１４】
本願における上り信号帯域制御装置及びその装置を利用した双方向ＣＡＴＶシステムは、上り信号を高周波帯域と低周波帯域に分離して別々に伝送できるようにしたので、高周波帯域の上り信号を遮断せずに、ケーブル通信システムに影響を及ぼすことなく上り帯域制限を制御することが出来る。
【発明を実施するための最良の形態】
【００１５】
本願における周波数帯域制御方法、上り流合雑音確認方法、周波数帯域制御装置、周波数帯域制御装置を備えた双方向ＣＡＴＶシステムの一例を図１に基づいて説明する。図１のＣＡＴＶ網は入出力端子３１、３７、下り信号、上り信号を分波/合成を行なう上り下り信号分波/合成回路部３２、３６、上り信号の高周波帯域と低周波帯域の分波/合成を行なう帯域分波/合成回路部３３、３４を備えている。
【００１６】
前記上り下り信号分波/合成回路部３２、３６の夫々はＨＰＦとＬＰＦ（ローパスフィルタ）を備え、それらの通過帯域を、例えばＨＰＦは70MHz以上を通過させ、ＬＰＦは55MHz以下を通過させることが出来るように設定してある。帯域分波/合成回路部３３、３４はＨＰＦとＬＰＦを備えており、例えばＨＰＦは30MHz以上を通過させ、ＬＰＦは25MHz以下を通過させるように通過帯域を設定してある。通過帯域の設定は任意に選択できる。ＬＰＦ３３、３４間には通過及び阻止にする通過−阻止スイッチ３５が配置されており、この通過−阻止スイッチ３５はセンター及び端末側の各々にて切り替えることが出来る。ゲートスイッチ３８は図３のゲートスイッチ３８と同様に通過２８／阻止２９／ＡＴＴ５１／ＨＰＦ２５などのモードを持つ回路である。この回路はセンター及び端末側の夫々で切替えることが出来る。
【００１７】
図１のＣＡＴＶ網では、帯域分波/合成回路部３３、３４のＨＰＦが30MHz以上を通過させ、ＬＰＦが25MHz以下を通過させることから、30〜55MHzは常に通過状態にあるので、通過−阻止スイッチ３５をオフにするとＬＰＦの低周波帯域を阻止するだけで高周波帯域に影響を与えることはない。したがって、通過−阻止スイッチ３５をオフにすることにより25MHz以下のみの低周波帯域を減衰させることが出来るので、ＨＰＦ(30MHz)を通った上り信号に影響を与えることなく帯域制限を制御することが出来る。ケーブル通信用信号を予め30〜55MHzに設定しておけば、ケーブル通信システムに影響を与えることなく帯域制限により上り流合雑音発生箇所を調査することが出来る。発生箇所特定後にはゲートスイッチ３８で不要な上り回線を阻止２９あるいはＡＴＴ５１に切り替え、上り流合雑音を低減することが出来る。
【００１８】
図１の周波数帯域制御装置は実用化に当たっては、図２のように下り回線に下り増幅器４０を、上り回線に上り増幅器４１を入れて使用するのが良い。
【００１９】
上記説明は、上り信号帯域を高周波帯域と低周波帯域に分離し、高周波帯域通過中に低周波帯域を遮断するようにしてあるが、本願発明ではこれとは逆に、低周波帯域通過中に高周波帯域を遮断することもできる。
【産業上の利用可能性】
【００２０】
本願における周波数帯域制御方法及び制御装置は、ＣＡＴＶシステムの双方向増幅器に利用することができ、上り流合雑音の確認のみならず、他の信号の制御に利用することもできる。
【図面の簡単な説明】
【００２１】
【図１】本願における周波数帯域制御回路の一例を示す説明図。
【図２】本願における周波数帯域制御回路を実用化する場合の説明図。
【図３】従来の上り流合雑音確認回路の説明図
【図４】従来のＣＡＴＶシステムの概要説明図。
【符号の説明】
【００２２】
１１  センター装置
１２〜１７  双方向増幅器
２１  上り信号入力端子（下り信号出力端子）
２２、２６、５５  分波／合成回路部
２３、２４  スイッチ
２５  ＨＰＦ（ハイパスフィルタ）
２７  下り信号入力端子（上り信号出力端子）
２８  通過（通過回路）
２９  阻止（阻止回路）
３１、３７  入出力端子
３２、３６  上り下り信号分波／合成回路部
３３、３４  帯域分波／合成回路部
３５  通過−阻止スイッチ（ＳＷ）
３８  ゲートスイッチ（ＧＳ）
４０  下り増幅器
４１  上り増幅器
５１  ＡＴＴ（アッテネータ）
５２  上り信号入力端子（下り信号出力端子）
５３、５４  分岐器
【図１】
0004878046.tif 000002
【図２】
0004878046.tif 000003
【図３】
0004878046.tif 000004
【図４】
0004878046.tif 000005